(57)【特許請求の範囲】
【請求項１】
一方向に延びる一方の組立足場素子（４）と、これに交叉する方向に延びる他方の組立足場素子（５）と、これらを互いに連結せしめるコーナー部（６）とより成り、
上記各組立足場素子が互いに離間して並設された、夫々水平杆により連結された複数の垂直枠（１）とより成り、この各垂直枠（１）が左右に離間した２個の垂直支柱（７，１０）とこの垂直支柱（７，１０）の上端部間に横架した横杆（８）とより成り、上記コーナー部（６）が上記一方の組立足場素子（４）の端部における互いに離間した２つの垂直枠（１）とこれらを互いに連結する水平杆（９）によって形成され、上記他方の組立足場（５）に面するようになる上記コーナー部（６）の２個の垂直支柱（１０）が上記他方の組立足場（５）の端部の垂直支柱と共通となり、上記コーナー部（６）における各垂直支柱（７，１０）の上部には夫々突出ピン１１を有する受け座（１２）が固定されており、同じく上端にはロック手段固定座（１５）が固定されており、上記コーナー部（６）における上記横杆（８）の両端及び上記他方の組立足場（５）の端部の水平杆（２１）の端部には夫々対応する上記受け座（１２）によって支持される横杆ロック手段（１３）及び水平杆ロック手段（１４）が設けられており、上記ロック手段（１３，１４）が夫々上記ロック手段固定座（１５）に固定される垂直板１７と、上記垂直板（１７）の中間部に固定した水平Ｘ方向とＹ方向に延びる水平板（１８）と、この水平板（１８）の上記Ｘ方向に延びる部分において上方に垂設した、水平ブレス固定用突設ピン（１９）と、上記Ｙ方向に延びる部分に形成した、上記水平ブレス固定用突出ピン（１１）が挿入されるピン孔（２０）とを有することを特徴とする組立足場。
【発明の詳細な説明】
【技術分野】
【０００１】
本発明は組立足場、特に、直角方向に交差する組立足場に関するものである。
【背景技術】
【０００２】
図５は、一方向に互いに離間して並設した複数の垂直枠１と、互いに隣接したこれら垂直枠１間を接続する布板２及び筋交い３とより成る従来の組立足場の斜視図を示す（特許文献１）。
【０００３】
【特許文献１】特開平９−１３６５６号公報（図２）
【発明の開示】
【発明が解決しようとする課題】
【０００４】
然しながら、上記のような構成の組立足場は一方向に直線状に長く連結したものは製造容易であるが、これを図６に示すように一方向に延びる一方の組立足場素子４と、これに直交する方向に延びる他方の組立足場素子５と、これらを互いに連結せしめるコーナー部６とにより構成する場合には、２つの方向の異なる組立足場素子４，５をコーナー部６で単に単管またはクランプで接続している。
【０００５】
従ってこのコーナー部は構造上強度が弱く、屋根等が形成された大重量の仮設建築物には使用できない欠点があった。
【０００６】
本発明は上記の欠点を除くようにしたものである。
【課題を解決するための手段】
【０００７】
本発明の組立足場は、一方向に延びる一方の組立足場素子（４）と、これに交叉する方向に延びる他方の組立足場素子（５）と、これらを互いに連結せしめるコーナー部（６）とより成り、上記各組立足場素子が互いに離間して並設された、夫々水平杆により連結された複数の垂直枠（１）とより成り、この各垂直枠（１）が左右に離間した２個の垂直支柱（７，１０）とこの垂直支柱（７，１０）の上端部間に横架した横杆（８）とより成り、上記コーナー部（６）が上記一方の組立足場素子（４）の端部における互いに離間した２つの垂直枠（１）とこれらを互いに連結する水平杆（９）によって形成され、上記他方の組立足場（５）に面するようになる上記コーナー部（６）の２個の垂直支柱（１０）が上記他方の組立足場（５）の端部の垂直支柱と共通となり、上記コーナー部（６）における各垂直支柱（７，１０）の上部には夫々突出ピン１１を有する受け座（１２）が固定されており、同じく上端にはロック手段固定座（１５）が固定されており、上記コーナー部（６）における上記横杆（８）の両端及び上記他方の組立足場（５）の端部の水平杆（２１）の端部には夫々対応する上記受け座（１２）によって支持される横杆ロック手段（１３）及び水平杆ロック手段（１４）が設けられており、上記ロック手段（１３，１４）が夫々上記ロック手段固定座（１５）に固定される垂直板１７と、上記垂直板（１７）の中間部に固定した水平Ｘ方向とＹ方向に延びる水平板（１８）と、この水平板（１８）の上記Ｘ方向に延びる部分において上方に垂設した、水平ブレス固定用突設ピン（１９）と、上記Ｙ方向に延びる部分に形成した、上記水平ブレス固定用突出ピン（１１）が挿入されるピン孔（２０）とを有することを特徴とする。
【発明の効果】
【０００８】
本発明の組立足場によれば、互いに交叉する方向に延びる２つの組立足場素子をコーナー部を介して簡単容易に接続でき、また、そのコーナー部は構造上強度が極めて大きくなる。
【発明を実施するための最良の形態】
【０００９】
以下図面によって本発明の実施例を説明する。
【実施例１】
【００１０】
図１は本発明の組立足場の詳細を示し、６はコーナー部、７，１０は一方向に延びる一方の組立足場素子４の端部における互いに隣接する２つの垂直枠１の夫々を形成する左右の垂直支柱、８はこの垂直支柱７，１０の上端部間に横架した布板取付杆（横杆）、９，９は上記一方向に互いに隣接する垂直枠１，１の垂直支柱間を連結する水平杆、１５は上記垂直支柱１０の上端部に固定したロック手段固定座を示し、本発明においては図２及び図３に示すように上記コーナー部６において上記他方向に延びる他方の組立足場素子５に面するようになる上記一方向に離間した２個の垂直支柱１０，１０を他方の組立足場素子５のコーナー部６に面する端面の垂直枠１の垂直支柱と共通ならしめ、この共通の各垂直支柱１０の上部に水平ブレス（図示せず）固定用の突出ピン１１を有する受け座１２を固定し、この受け座１２によって上記一方の組立足場素子４の横杆８の端部に設けた横杆ロック手段１３及び、上記他方の組立足場素子５の水平杆２１の端部に設けたロック手段１４とを支持せしめる。
【００１１】
このロック手段１３及び１４には夫々上記垂直支柱１０の上端部に固定したロック手段固定座１５にボルト１６を介して固定される上部袖片を有する垂直板１７と、上記垂直板１７の中間部に固定した水平Ｘ方向とＹ方向に延びる水平板１８と、この水平板１８の上記Ｘ方向に延びる部分において上方に垂設した、水平ブレス固定用突設ピン１９と、上記Ｙ方向に延びる部分に形成した、上記水平ブレス固定用突出ピン１１が挿入されるピン孔２０とを有せしめる。
【００１２】
なお、上記横杆ロック手段１３と同様のものを図４に示すように他の垂直支柱７に設けても良い。
【００１３】
本発明の組立足場は上記のような構成であるから、コーナー部６において互いに隣接した２本の垂直支柱１０，１０に固定した受け座１２の突設ピン１１に上記ロック手段１３，１４の水平板１８のピン孔２０が挿入されるよう上記ロック手段１３，１４を垂直支柱１０に沿って下降せしめた後、上記垂直板１７の袖片を上記垂直支柱１０の上部に固定した固定座１５にボルト１６によって固定せしめれば、上記コーナー部６を極めて容易に組み立てることができる。
【００１４】
上記のように本発明の組立足場によれば互いに交叉する方向に延びる２つの組立足場素子を容易に接続でき、また、そのコーナー接続部の構造上の強度が極めて大きくなる。
【図面の簡単な説明】
【００１５】
【図１】本発明の組立足場のコーナー部における一方の組立足場素子の斜視図である。
【図２】図１に示す横杆ロック手段の斜視図である。
【図３】図１に示す一方の組立足場素子に取り付ける他方の組立足場素子の水平杆ロック手段の斜視図である。
【図４】本発明の組立足場の斜視図である。
【図５】従来の一方向に延びる組立足場の斜視図である。
【図６】従来の直交する方向に延びる組立足場の斜視図である。
【符号の説明】
【００１６】
１  枠
２  布板
３  筋交い
４  組立足場素子
５  組立足場素子
６  コーナー部
７  垂直支柱
８  布板取付杆
９  水平杆
１０  垂直支柱
１１  突出ピン
１２  受け座
１３  横杆ロック手段
１４  水平杆ロック手段
１５  ロック手段固定座
１６  ボルト
１７  垂直板
１８  水平板
１９  突設ピン
２０  ピン孔
２１  水平杆
【図１】
0003911681.tif 000002
【図２】
0003911681.tif 000003
【図３】
0003911681.tif 000004
【図４】
0003911681.tif 000005
【図５】
0003911681.tif 000006
【図６】
0003911681.tif 000007